(57)【要約】  本開示は、電子デバイスを眼鏡類に取り外し可能に連結するための装置および方法を提供する。一態様において眼鏡が提供される。この眼鏡は、着用者の頭部に担持されるように調整された眼鏡フレームと、少なくとも第１レンズと、その少なくとも第１レンズを着用者の視野の径路内に配置するように形成される眼鏡フレームの少なくとも第１レンズ支持部分とを含む。この眼鏡は、さらに、第１コネクタおよび第２コネクタを含む取り付け装置と、電子デバイスとを含み、その場合、第１コネクタは、取り付け装置を眼鏡フレームに取り外し可能に連結し、第２コネクタは、電子デバイスを取り付け装置に取り外し可能に連結する。
2015515638.tif 000002
【特許請求の範囲】
【請求項１】
着用者の頭部によって担持されるように調整された眼鏡フレームと、
少なくとも第１レンズと、
前記眼鏡フレームの少なくとも第１レンズの支持部分であって、前記少なくとも第１レンズを着用者の視野の径路内に配置するように形成される少なくとも第１レンズの支持部分と、
第１コネクタおよび第２コネクタを含む取り付け装置であって、前記第１コネクタは前記取り付け装置を前記眼鏡フレームに取り外し可能に連結する、取り付け装置と、
前記第２コネクタが前記取り付け装置に取り外し可能に連結する電子デバイスと、
を含む眼鏡。
【請求項２】
前記第１コネクタが前記第２コネクタとは異なっている、請求項１に記載の眼鏡。
【請求項３】
前記第１コネクタがクリップである、請求項１または２に記載の眼鏡。
【請求項４】
前記第２コネクタがマグネットである、請求項２または３に記載の眼鏡。
【請求項５】
前記第１コネクタが、
前記眼鏡フレームの内側の端部に繋がるように成形される第１プレートであって、止め具を含む第１プレートと、
前記第２コネクタを含み、かつ、前記電子デバイスを支持するように形成される第２プレートと、
前記第１プレートの第１端部および前記第２プレートの第１端部に連結されるヒンジであって、前記ヒンジは、前記第２プレートを前記眼鏡フレームの外側の端部に対して押し付けるように機能し、かつ、前記ヒンジが、前記第２プレートを前記眼鏡フレームの外側の端部に押し当てて保持するために、前記第２プレートを前記眼鏡フレームの外側の端部に対して押し付けるように機能する時に、前記止め具が前記第２プレートに繋がる、ヒンジと、
を含む、請求項１〜４のいずれか一項に記載の眼鏡。
【請求項６】
前記電子デバイスが、フラッシュライト、カメラ、マイクロホン、およびレーザポインタからなる群からの装置である、請求項１〜５のいずれか一項に記載の眼鏡。
【請求項７】
前記電子デバイスが、バッテリと、メモリと、マイクロホンとを含むカメラである、請求項１〜６のいずれか一項に記載の眼鏡。
【請求項８】
前記第１コネクタが、いかなる接着材料もなしに前記取り付け装置にしっかりと固定され、かつ、前記第２コネクタが、いかなる接着材料もなしに前記取り付け装置にしっかりと固定される、請求項１〜７のいずれか一項に記載の眼鏡。
【請求項９】
着用者の動作中に前記取り付け装置が前記眼鏡フレームに連結されたままであるように、前記取り付け装置が前記眼鏡フレームに固定される、請求項１〜８のいずれか一項に記載の眼鏡。
【請求項１０】
前記電子デバイスが、着用者の視野の径路に揃えられた方向に向く、請求項１〜９のいずれか一項に記載の眼鏡。
【請求項１１】
前記電子デバイスが、着用者の動作中に、着用者の視野の径路に揃えられた方向に向くその位置を維持する、請求項１または１０に記載の眼鏡。
【請求項１２】
前記電子デバイスが、前記眼鏡フレームの支持部材に垂直な軸の回りに回転する、請求項１〜１１のいずれか一項に記載の眼鏡。
【請求項１３】
前記取り付け装置が、前記電子デバイスおよび前記眼鏡フレームの間の電気接続またはデータ接続の少なくとも一つを提供するように形成される、請求項１〜１２のいずれか一項に記載の眼鏡。
【請求項１４】
第１コネクタおよび第２コネクタを含む取り付け装置であって、前記第１コネクタは前記取り付け装置を頭部着用装置に取り外し可能に連結する、取り付け装置と、
前記第２コネクタが前記取り付け装置に取り外し可能に連結する電子デバイスと、
を含む二重取り付け部材。
【請求項１５】
前記第１コネクタが前記第２コネクタとは異なっている、請求項１４に記載の二重取り付け部材。
【請求項１６】
前記第１コネクタがクリップである、請求項１４または１５に記載の二重取り付け部材。
【請求項１７】
前記第２コネクタがマグネットである、請求項１４〜１６のいずれか一項に記載の二重取り付け部材。
【請求項１８】
前記第１コネクタが、
前記頭部着用装置の内側の端部に繋がるように成形される第１プレートであって、止め具を含む第１プレートと、
前記第２コネクタを含み、かつ、前記電子デバイスを支持するように形成される第２プレートと、
前記第１プレートの第１端部および前記第２プレートの第１端部に連結されるヒンジであって、前記ヒンジは、前記第２プレートを前記頭部着用装置の外側の端部に対して押し付けるように機能し、かつ、前記ヒンジが、前記第２プレートを前記頭部着用装置の外側の端部に押し当てて保持するために、前記第２プレートを前記頭部着用装置の外側の端部に対して押し付けるように機能する時に、前記止め具が前記第２プレートに繋がる、ヒンジと、
を含む、請求項１４〜１７のいずれか一項に記載の二重取り付け部材。
【請求項１９】
前記電子デバイスが、フラッシュライト、カメラ、マイクロホン、およびレーザポインタからなる群からの装置である、請求項１４〜１８のいずれか一項に記載の二重取り付け部材。
【請求項２０】
前記電子デバイスが、バッテリと、メモリと、マイクロホンとを含むカメラである、請求項１４〜１９のいずれか一項に記載の二重取り付け部材。
【請求項２１】
前記第１コネクタが、いかなる接着材料もなしに前記取り付け装置にしっかりと固定され、かつ、前記第２コネクタが、いかなる接着材料もなしに前記取り付け装置にしっかりと固定される、請求項１４〜２０のいずれか一項に記載の二重取り付け部材。
【請求項２２】
着用者の動作中に前記取り付け装置が前記頭部着用装置に連結されたままであるように、前記取り付け装置が前記頭部着用装置に固定される、請求項１４〜２１のいずれか一項に記載の二重取り付け部材。
【請求項２３】
前記電子デバイスが、着用者の視野の径路に揃えられた方向に向く、請求項１４〜２２のいずれか一項に記載の二重取り付け部材。
【請求項２４】
前記電子デバイスが、着用者の動作中に、着用者の視野の径路に揃えられた方向に向くその位置を維持する、請求項１４〜２３のいずれか一項に記載の二重取り付け部材。
【請求項２５】
前記電子デバイスが、前記頭部着用装置のフレームの支持部材に垂直な軸の回りに回転する、請求項１４〜２４のいずれか一項に記載の二重取り付け部材。
【請求項２６】
前記支持部材が耳ステムであり、前記頭部着用装置が眼鏡フレームである、請求項２５に記載の二重取り付け部材。
【請求項２７】
前記支持部材がストラップであり、前記頭部着用装置がゴーグルである、請求項２５に記載の二重取り付け部材。
【請求項２８】
前記取り付け装置が、前記電子デバイスおよび前記頭部着用装置の間の電気接続またはデータ接続の少なくとも一つを提供するように形成される、請求項１４〜２７のいずれか一項に記載の二重取り付け部材。
【請求項２９】
電子デバイスを眼鏡類に取り外し可能に連結する方法であって、
取り付け装置を眼鏡類のフレームの支持部材の内側の端部に押し当てて配置するステップであって、前記取り付け装置は第１コネクタを含み、かつ、前記内側の端部は、眼鏡類のフレームの着用者により近い支持部材の端部である、ステップと、
前記第１コネクタの第２プレートを前記第１コネクタのヒンジの回りに回転させるステップであって、前記ヒンジは、前記第１コネクタの第１プレートの第１端部を前記第２プレートの第１端部に連結し、かつ、前記第２プレートは第２コネクタを含む、ステップと、
前記第１プレートの第２端部を前記第２プレートの第２端部にロックするステップと、
前記電子デバイスを前記第２コネクタに取り付けるステップと、
を含む方法。
【請求項３０】
前記第１コネクタが前記第２コネクタとは異なっている、請求項２９に記載の方法。
【請求項３１】
前記第１コネクタがクリップである、請求項２９または３０に記載の方法。
【請求項３２】
前記第２コネクタがマグネットである、請求項２９〜３１のいずれか一項に記載の方法。
【請求項３３】
前記ロックするステップが、
前記第２プレートを前記眼鏡類のフレームの支持部材の外側の端部に対して押し付けるステップと、
前記第２プレートを前記外側の端部に押し当てて保持するために、前記第１プレートのリップを前記第２プレートの開口の中に挿入するステップと、
をさらに含む、請求項２９〜３２のいずれか一項に記載の方法。
【請求項３４】
前記電子デバイスが、フラッシュライト、カメラ、マイクロホン、およびレーザポインタからなる群からの装置である、請求項２９〜３３のいずれか一項に記載の方法。
【請求項３５】
前記電子デバイスが、バッテリと、メモリと、マイクロホンとを含むカメラである、請求項２９〜３４のいずれか一項に記載の方法。
【請求項３６】
前記第１コネクタが、いかなる接着材料もなしに前記取り付け装置にしっかりと固定され、かつ、前記第２コネクタが、いかなる接着材料もなしに前記取り付け装置にしっかりと固定される、請求項２９〜３５のいずれか一項に記載の方法。
【請求項３７】
ロックするステップが、着用者の動作中に前記取り付け装置が前記眼鏡類のフレームに連結されたままであるように、前記第１プレートの第２端部を前記第２プレートの第２端部にロックするステップをさらに含む、請求項２９〜３６のいずれか一項に記載の方法。
【請求項３８】
前記電子デバイスが着用者の視野の径路に揃えられた方向に向くように、前記電子デバイスを調整するステップをさらに含む、請求項２９〜３７のいずれか一項に記載の方法。
【請求項３９】
着用者の動作中に、前記電子デバイスの位置を維持するステップをさらに含む、請求項２９〜３８のいずれか一項に記載の方法。
【請求項４０】
前記電子デバイスが、前記頭部着用装置のフレームの支持部材に垂直な軸の回りに回転する、請求項２９〜３９のいずれか一項に記載の方法。
【請求項４１】
取り付け装置を眼鏡類に取り外し可能に連結する方法であって、
前記取り付け装置を眼鏡類のフレームの支持部材の内側の端部に押し当てて配置するステップであって、前記取り付け装置は第１コネクタを含み、かつ、前記内側の端部は、眼鏡類のフレームの着用者により近い支持部材の端部である、ステップと、
前記第１コネクタの第２プレートを前記第１コネクタのヒンジの回りに回転させるステップであって、前記ヒンジは、前記第１コネクタの第１プレートの第１端部を前記第２プレートの第１端部に連結し、かつ、前記第２プレートは、電子デバイスを前記取り付け装置に取り外し可能に連結する第２コネクタを含む、ステップと、
前記第１プレートの第２端部を前記第２プレートの第２端部にロックするステップと、を含む方法。
【請求項４２】
前記第１コネクタが前記第２コネクタとは異なっている、請求項４１に記載の方法。
【請求項４３】
前記第１コネクタがクリップである、請求項４１または４２に記載の方法。
【請求項４４】
前記第２コネクタがマグネットである、請求項４１〜４３のいずれか一項に記載の方法。
【請求項４５】
前記ロックするステップが、
前記第２プレートを前記眼鏡類のフレームの支持部材の外側の端部に対して押し付けるステップと、
前記第２プレートを前記外側の端部に押し当てて保持するために、前記第１プレートのリップを前記第２プレートの開口の中に挿入するステップと、
をさらに含む、請求項４１〜４４のいずれか一項に記載の方法。
【請求項４６】
前記電子デバイスが、フラッシュライト、カメラ、マイクロホン、およびレーザポインタからなる群からの装置である、請求項４１〜４５のいずれか一項に記載の方法。
【請求項４７】
前記電子デバイスが、バッテリと、メモリと、マイクロホンとを含むカメラである、請求項４１〜４６のいずれか一項に記載の方法。
【請求項４８】
前記第１コネクタが、いかなる接着材料もなしに前記取り付け装置にしっかりと固定さ
れ、かつ、前記第２コネクタが、いかなる接着材料もなしに前記取り付け装置にしっかりと固定される、請求項４１〜４７のいずれか一項に記載の方法。
【請求項４９】
ロックするステップが、着用者の動作中に前記取り付け装置が前記眼鏡類のフレームに連結されたままであるように、前記第１プレートの第２端部を前記第２プレートの第２端部にロックするステップをさらに含む、請求項４１〜４８のいずれか一項に記載の方法。
【請求項５０】
前記電子デバイスが着用者の視野の径路に揃えられた方向に向くように、前記電子デバイスを調整するステップをさらに含む、請求項４１〜４９のいずれか一項に記載の方法。
【請求項５１】
着用者の動作中に、前記電子デバイスの位置を維持するステップをさらに含む、請求項４１〜５０のいずれか一項に記載の方法。
【発明の詳細な説明】
【技術分野】
【０００１】
本開示は、全般的には頭部着用具に関し、具体的には、取り外し可能な電子デバイスおよび／または機械デバイスを含む頭部着用具に関する。
【背景技術】
【０００２】
電子デバイスおよび／または機械デバイスを、使用者の頭部に着用できるように装着することが好適で望ましい状況が多数存在する。このようなデバイスは、携帯用のエンターテインメント、個人的な通信、記録の作成などに用いることができる。
【発明の概要】
【発明が解決しようとする課題】
【０００３】
しかし、このような装着可能なデバイスの場合、使用者が眼鏡またはサングラスを着用したいと望む時には必ず、使用者は、デバイスを調節するか、あるいは耳から取り外さなければならない。さらに、装着可能なデバイスと１個のサングラスとを同時に着用することは、多くの場合きわめて不快である。このような不快感は、長時間それに曝されると、筋肉痛および／または頭痛の原因になる可能性がある。さらに加えて、装着可能デバイスから他の第３者のデバイスに延びることがあるケーブルと、眼鏡類および装着可能デバイスを同時に着用するという不安定さとが、着用者、特に法執行活動に関与する人たちの動きを制限する可能性がある。従って、装着可能な電子デバイスおよび／または機械デバイスを、着用者に利用度を提供するように改善する必要性が存在する。
【課題を解決するための手段】
【０００４】
本開示の一態様は眼鏡を提供する。この眼鏡は、着用者の頭部に担持されるように調整された眼鏡フレームと、少なくとも第１レンズと、その少なくとも第１レンズを着用者の視野の径路内に配置するように形成される眼鏡フレームの少なくとも第１レンズの支持部分とを含む。この眼鏡は、さらに、第１コネクタおよび第２コネクタを含む取り付け装置を含み、その場合、第１コネクタは、取り付け装置を眼鏡フレームに取り外し可能に連結する。この眼鏡は、さらにまた、電子デバイスを含み、その場合、第２コネクタが、電子デバイスを取り付け装置に取り外し可能に連結する。
【０００５】
本開示の別の態様は、取り付け装置および電子デバイスを含む二重取り付け部材を提供する。取り付け装置は第１コネクタおよび第２コネクタを含み、その場合、第１コネクタは、取り付け装置を頭部着用装置に取り外し可能に連結する。第２コネクタは、電子デバイスを取り付け装置に取り外し可能に連結する。
【０００６】
本開示のさらに別の態様は、電子デバイスを眼鏡類に取り外し可能に連結するための方法の実施を提供する。この方法は、取り付け装置を、眼鏡類のフレームの支持部材の内側の端部に押し当てて配置するステップを含む。この場合、取り付け装置は第１コネクタを含み、前記内側の端部は、眼鏡類のフレームの着用者に近い方の支持部材の端部である。この方法は、さらに、第１コネクタの第２プレートを第１コネクタのヒンジの回りに回転させるステップを含む。その場合、そのヒンジは、第１コネクタの第１プレートの第１端部を第２プレートの第１端部に連結し、かつ、第２プレートは第２コネクタを含む。この方法は、さらにまた、第１プレートの第２端部を第２プレートの第２端部にロックするステップを含み、さらにまた、電子デバイスを第２コネクタに取り付けるステップを含む。
【０００７】
本開示のさらに別の態様は、取り付け装置を眼鏡類に取り外し可能に連結するための方
法の実施を提供する。この方法は、取り付け装置を、眼鏡類のフレームの支持部材の内側の端部に押し当てて配置するステップを含む。この場合、取り付け装置は第１コネクタを含み、前記内側の端部は、眼鏡類のフレームの着用者に近い方の支持部材の端部である。この方法は、さらに、第１コネクタの第２プレートを第１コネクタのヒンジの回りに回転させるステップを含む。その場合、そのヒンジは、第１コネクタの第１プレートの第１端部を第２プレートの第１端部に連結し、かつ、第２プレートは第２コネクタを含み、第２コネクタは電子デバイスを取り付け装置に取り外し可能に連結する。この方法は、さらにまた、第１プレートの第２端部を第２プレートの第２端部にロックするステップを含む。
【０００８】
本発明の実施形態の特徴、態様および利点を、種々の実施形態の図面を参照して以下に詳しく説明する。これらの実施形態は例示用として意図されており、本発明を制限するものではない。
【図面の簡単な説明】
【０００９】
【図１】本開示の一実施形態による支持アセンブリの側面図である。
【図２】レンズが着用者の視野から取り外された状態の図１の支持アセンブリの部分側面図である。
【図３】図１の支持アセンブリの上面図である。
【図４】分離可能モジュールおよびコネクタアセンブリの部分斜視図である。
【図５】図１の支持アセンブリに搭載完了する前の図４の分離可能モジュールの部分斜視図である。
【図６】本開示の一実施形態による分離可能モジュールの斜視図である。
【図７】図６の分離可能モジュールの別の斜視図である。
【図８】図６の分離可能モジュールの上面図である。
【図９】図６の分離可能モジュールの側面図である。
【図１０】図６の分離可能モジュールの端面図である。
【図１１】図６の分離可能モジュールの別の端面図である。
【図１２】図４の分離可能モジュールの分解斜視図である。
【図１３】図６の分離可能モジュールの別の斜視図である。
【図１４】図６の分離可能モジュールの内部アセンブリの分解図である。
【図１５】図６の分離可能モジュールの内部アセンブリの別の分解図である。
【図１６】図４の分離可能モジュールの第２プレートの正面斜視図である。
【図１７】図１６の第２プレートの等角正面図である。
【図１８】図１６の第２プレートの背面斜視図である。
【図１９Ａ−Ｂ】図６の分離可能モジュールの第２プレートの一態様を示す。
【図２０Ａ−Ｂ】図６の分離可能モジュールの第２プレートの一態様を示す。
【図２１Ａ−Ｂ】図６の分離可能モジュールの第２プレートの一態様を示す。
【図２２Ａ−Ｂ】図６の分離可能モジュールの第２プレートの一態様を示す。
【図２３】図６の分離可能モジュールの第１プレートおよび第２プレートの角度調整可能性の一態様を示す。
【図２４】本開示の一実施形態による第２モジュールの斜視図である。
【図２５】図２４の第２モジュールの別の斜視図である。
【図２６】図２４の第２モジュールの上面図である。
【図２７】図６の分離可能モジュールと図２４の第２モジュールとの上面図である。
【図２８】図１の支持アセンブリと、図６の分離可能モジュールと、図２４の第２モジュールとの部分側面図である。
【図２９】図４の分離可能モジュールおよび支持アセンブリの等角側面図である。
【図３０】図２９の線Ａ−Ａによる断面図である。
【図３１】電子デバイスの眼鏡類への取り外し可能な連結方法の一実施形態である。
【図３２】取り付け装置の眼鏡類への取り外し可能な連結方法の一実施形態である。
【発明を実施するための形態】
【００１０】
本開示のシステムおよび方法は、対象物（例えば、通信モジュール、音楽モジュール、ＡＶモジュール、照明器など）と構造体（例えば支持アセンブリ）との的確な連結に関する。的確な機械的連結は、対象物と、利用可能な構造体と、連結の完成後に対象物および構造体が果たす目的とによって影響を受けるであろう。連結は、対象物と構造体との間の関係（例えば、方位付け、位置決め、維持、保持など）の維持を含むであろう。また、連結は、構造体による対象物の支持（例えば、取り付け、保持、固定、装着など）を含むであろう。上記の機能の任意のもの、またはそのすべてを、任意の組合せにおいて、本明細書で分離可能モジュールと呼称される装置によって提供することができる。
【００１１】
分離可能モジュールは、対象物および構造体を連結し得る任意の構成要素または構成要素の組合せを含む。分離可能モジュールの第１部分は、対象物および分離可能モジュールを連結することができ、分離可能モジュールの第２部分は、分離可能モジュールおよび構造体を連結することができる。第１部分の操作は、第２部分の操作とは実質的に無関係に独立している。ある実施形態においては、分離可能モジュールは構造体に対して対象物が動くのを実質的に防ぐ。他の実施形態においては、分離可能モジュールは、対象物、構造体、またはその両者の相互に対する１つ以上の自由度（例えば、回転、並進、制限回転、移動など）を可能にする。
【００１２】
留め具は開放可能な連結具を確立するための任意の装置を含む。留め具は少なくとも開位置および閉位置を有することができる。留め具は、連結具（例えば掛け具）によって閉位置に維持することができる。留め具の一部分が掛け具を形成することができる。留め具は２つの構成要素を含むことができるが、この２つの構成要素は、開位置を達成するために相互に分離可能または可動な構成要素、および、閉位置を達成するために相互に連結（例えば、固定、取り付け、閉じ込め、引き付け、保持、接着、取り囲み、捕捉、包み込み）される構成要素である。
【００１３】
掛け具は、開放可能な連結を確立する任意の装置を含み、当接して開放を防止する表面を含む。掛け具は少なくとも開位置および閉位置を有することができる。掛け具は、力（例えば、材料の膨張、材料の収縮、スプリング力、捩り、引っ張り、摩擦、スティクション、相対的に非圧縮性の表面を当接させた場合の反作用力など）によって閉位置に維持することができる。掛け具を開放するために、一般的に、表面を、当接を回避するように相互に動かすことができる。掛け具は、位置エネルギー（例えば、保存された捩り、引っ張り、弾性など）の存在によって閉状態に留まることができる。閉位置の掛け具は、位置エネルギーが位置の維持に関与しない安定状態にすることができる。エネルギーは、掛け具をその閉位置から動かすのに用いることができる。
【００１４】
磁気留め具は、磁束によって閉位置に維持される任意の留め具を含む。留め具の一部分は、磁束の径路の一部分となるための適切な透磁率を有することができる。留め具の一部分は、磁束のいくらかまたはすべてを提供することができる（例えば、留め具がマグネットを含む、留め具が磁化されている、など）。
【００１５】
ヒンジは、第２表面に対するある１つの軸の周りの第１表面の動きを可能にする任意の装置を含む。ヒンジおよび表面が同じ材料の同一延長体である場合は、そのヒンジは一体成形ヒンジと呼称される。筒体ヒンジは、各表面内に形成されるかまたは各表面に連結される少なくとも１つの中空シリンダと協動するベアリングを含む。筒体ヒンジの軸はベアリングの中心軸（例えば、ピン、支柱、シャフト、突起体など）と一致する。
【００１６】
リップは、対象物の外側の表面を把持する（例えば、引き付け、取り付け、接着、保持
、締結、取り囲み、捕捉、包み込み、握持などによって）任意の装置を含む。外側の表面は、把持を達成するようにリップと協動する凹凸部を有することができる。外側の表面およびリップは掛け具と協動することができる。
【００１７】
本開示の種々の態様による分離可能モジュールは、磁気留め具の少なくとも一部分を含む折り重ね留め具を含む。折り重ね留め具が２つの構成要素を含む実施形態においては、磁気留め具の一部分を、第１構成要素、第２構成要素、あるいは両構成要素の上に、またはその中に、またはそれと共に埋め込むことができる。この組み合わせは、製造および操作を簡単化する。このような分離可能モジュールは、対象物（例えば、通信モジュール、音楽モジュール、ＡＶモジュール、照明器など）を、構造体（例えば支持アセンブリ）に連結するために用いることができる。この連結は、構造体を折り重ね留め具と連結（例えば、固定、取り付け、閉じ込め、引き付け、保持、接着、取り囲み、捕捉、包み込みなど）して、磁気留め具を介する対象物との関係を維持することによって行われる。折り重ね留め具は、折り重ね留め具の閉位置を維持するために掛け具を用いることができる。
【００１８】
磁気留め具の磁束回路は相対的に高い透磁率の材料を用いることができる。これは、分離可能モジュールの残りの部分を相対的に低い透磁率の材料から形成して、強磁性体材料のコストおよび重量を避け得るようにするためである。
【００１９】
相対的に低い透磁率の材料は、従来型のポリマー、プラスチックまたは樹脂の１つ以上を含むことができる。この材料は、例えば、射出成形、ブロー成形、圧縮成形、押出し、鋳造、回転成形、回転鋳造などを含む従来型の技術を用いて成形することができる。相対的に高い透磁率の材料は、例えば、成形、鋳造、打抜き、カットシート、ウェブ処理などを含む１つ以上の従来型技術によって、適当な厚さ（一様な、段階的な、有勾配の）を有するシートまたはウエハ（例えば、円形、長円形、長方形、正多角形などの）に成形することができる。いくつかの実施形態においては、相対的に高い透磁率の材料を磁化しないままにすることができる。他の実施形態においては、相対的に高い透磁率の材料を、例えば、磁気留め具用の磁束源として、磁気を帯びたものとするか、または、磁化することができる。
【００２０】
一実施形態においては、相対的に高い透磁率の材料を、磁気留め具の少なくとも一部分によって適切な位置に保持する。磁気留め具が、内側部分を有するカップ形状を含む場合は、磁気留め具のそのような一部分は、カップの１つ以上の内側表面を含むことができる。
【００２１】
従って、折り重ね留め具の旋回軸のアセンブリは、磁気留め具の相対的に高い透磁率の材料の適切な位置を、維持することを支援するか、あるいは、実質的に維持することができる。磁気留め具は、対象物を実質的に支持するための構造体を含むことができる。この支持は、構造体への対象物の実質的な剛性装着を提供することができる。
【００２２】
一実施形態において、磁気留め具は、構造体に対する対象物の方位を維持する１つ以上の表面を含む。このような表面は、当接、スティクションおよび／または摩擦によって協動することができる。このような表面は、磁気留め具の１つ以上の部分の上に実現することができる。このような表面は、磁気留め具および対象物のそれぞれの１つ以上の部分の上に実現することができる。
【００２３】
折り重ね留め具の掛け具の一部分は、相対的に高い透磁率の材料の位置決めを簡単化し、かつ、相対的に高い透磁率の材料の、磁気留め具の少なくとも一部分による保持を簡単化するために曲がることができる。例えば、この曲りは、保持を容易にする緊張力を提供することができる。
【００２４】
一実施形態において、磁気留め具の一部分として機能する折り重ね留め具の一部分は、相対的に高い透磁率の材料を含むために、折り重ね留め具の組み込みを簡単化するように一時的に広げられるスロットを含むことができる。例えば、磁気留め具の一部分として機能する折り重ね留め具の一部分は、左の部分と、その左の部分に連結される右の部分と、左の部分および右の部分が相互に離れるように広がることを可能にする第１連結具とを含むことができる。この第１連結具は、折り重ね留め具の掛け具の一部として機能する１つ以上の表面を含むことができる。
【００２５】
本開示の一実施形態による支持アセンブリ１００が、図１に表現されている。支持アセンブリ１００は、一般的に、支持体１０２と分離可能モジュール１０４とを含み、かつ、電子デバイスのような他の装置を担持し、保持し、あるいは含むように調整される任意の構造体であって、着用者が着用する任意の構造体とすることが可能である。例えば、支持アセンブリ１００は、オーディオ装置とすること、またはそれを含むことができる。さらに、支持アセンブリ１００は、眼鏡のフレーム、スポーツ用または他の保護用ゴーグル、サンバイザー、拡大鏡、マスク、レンズなしの頭部着用具、あるいは他の眼鏡類アセンブリを含むことができる。支持アセンブリ１００は、ブリッジ１０３の回りに従来方式において対称とすることができる。本明細書においては一般的に分離可能モジュールとして記述するが、モジュール１０４を、支持部材（例えば、耳ステム、つる、つるアーム、ヘッドバンド、ゴーグルのストラップまたはアウトリガー、耳上部のフック、ループ、支持体など）、摺動レール、あるいは、眼鏡または他の頭部着用具の他の構成要素に、恒久的に装着する（剛性固定によって、あるいは以下に詳細開示するように調整可能に）ことも可能である。支持アセンブリ１００は、適切な従来型技術を用いて、適切な従来型材料から構成することができる。
【００２６】
支持体１０２は、一般的に、電子デバイスのような装置を担持することも可能な、着用し得る任意の構造体である。支持体１０２は、様々な着用可能な構造体、例えば、帽子、ベルト、ベスト、１点の衣類、および／または眼鏡を含む眼鏡類のような構造体の任意のものを含むことができる。いくつかの実施形態においては、支持体１０２は、分離可能モジュール１０４を使用者の視野の中に導入する形で、分離可能モジュール１０４を支持するように構成される。他の実施形態においては、支持体１０２は、使用者の視野には無関係な目的のために、分離可能モジュール１０４を支持するように構成される。例えば、支持体１０２は、分離可能モジュール１０４を、分離可能モジュール１０４が使用者の楽に手の届く範囲内にあるように支持することができる。
【００２７】
分離可能モジュール１０４は、支持体１０２によって担持可能な任意の構造体である。一実施形態においては、分離可能モジュール１０４は、以下に詳述するように、結合アセンブリを包含するハウジングを含む。
【００２８】
図示の実施形態においては、支持体１０２は眼鏡を含み、この眼鏡は、少なくとも１つのレンズ支持体１０８を含むことができるフレーム１０６を有する。レンズ支持体１０８（例えば環状の）は、支持アセンブリ１００の着用者の視野内に少なくとも１つのレンズ１１０を保持するように調整される。
【００２９】
支持体１０２は、また、少なくとも１つの支持部材１１２（例えば、耳ステム、つる、つるアーム、ヘッドバンド、ゴーグルのストラップまたはアウトリガー、耳上部のフック、ループ、支持体など）をも含む。例えば、支持体１０２は、第１支持部材１１２および第２支持部材１１２を含むことができる（例えば、支持体１０２は、頭部の左側面に隣接して配置される耳ステムおよび頭部の右側面に隣接して配置される耳ステムと、頭部の左側面に隣接して配置されるつるおよび頭部の右側面に隣接して配置されるつると、頭部の
左側面に隣接して配置されるつるアームおよび頭部の右側面に隣接して配置されるつるアームと、頭部の左側面に隣接して配置される第１ヘッドバンドであって、頭部の右側面に隣接して配置される第２ヘッドバンドに連結される第１ヘッドバンドと、頭部の左側面に隣接して配置されるゴーグルの第１ストラップまたはアウトリガーであって、頭部の右側面に隣接して配置されるゴーグルの第２ストラップまたはアウトリガーに連結されるゴーグルの第１ストラップまたはアウトリガーと、左耳上部のフックおよび右耳上部のフックと、頭部の左側面に隣接して配置される第１ループであって、頭部の右側面に隣接して配置される第２ループに連結される第１ループと、頭部の左側面に隣接して配置される支持体および頭部の右側面に隣接して配置される支持体と、その他とを含むことができる）。別の例として、支持体１０２は単一の支持部材１１２を含むことができる（例えば、支持体１０２は、頭部の左側面または右側面に隣接して配置される耳ステム、つるまたはつるアームと、頭部の頂部、底部および／または側部の回りに巻かれるヘッドバンドと、頭部の頂部、底部および／または側部の回りに巻かれるゴーグルのストラップまたはアウトリガーと、左耳または右耳上部のフックと、ループと、その他とを含むことができる）。
【００３０】
支持部材１１２は、支持部材１１２の前方部分１１６に配置される連結具１１４によってフレーム１０６に連結される。一実施形態において、連結具１１４はヒンジであるが、連結具１１４は、支持部材１１２をフレーム１０６に連結するための当業者に知られる任意の構造とすることができる。別の実施形態においては、支持体１０２が連結具１１４を含まない。この実施形態においては、少なくとも１つの支持部材１１２が、フレーム１０６と一体的に形成される。
【００３１】
支持部材１１２は、支持部分またはレール１１８と頭部接触部分１２０とを含む。レール１１８は、分離可能モジュール１０４の上の対応する締結部と係合するように構成される。分離可能モジュール１０４は、以下に詳述する機構のような任意の種々の機構によって、レール１１８に分離可能に連結される。いくつかの実施態様においては、分離可能モジュール１０４は、レール１１８に対して動かないように調整される。他の実施態様においては、分離可能モジュール１０４は、レール１１８に対して動くように調整される。一実施形態においては、分離可能モジュール１０４は、レールの縦軸に沿って前方−後方（または後方−前方）の方向に動く（図示されていない）。分離可能モジュール１０４のレール１１８に対する軸方向の動きは、前方方向および後方方向においてストッパによって制限することができる（図示せず）。
【００３２】
支持部材１１２の頭部接触部分１２０には、１９９１年８月２７日に出願された米国特許第５，２４９，００１号明細書に開示されているような弾性体の摩擦装置を設けることができる（この米国特許の内容は参照によって本明細書に組み込まれる）。頭部接触部分１２０上のパッド化部分は、一般的に、発泡体、プラスチック、布類、または任意の種々の軟質ポリマーのような軟質材料から作製され、使用者が着用した場合に、着用者の頭部と、支持アセンブリ１００との間の快適なインターフェースを提供する。
【００３３】
分離可能モジュール１０４に第２モジュール１４６を取り付けることができる。一実施形態において、分離可能モジュール１０４は、通信モジュール、音楽モジュール、ＡＶモジュール、照明器、および／または他の電子モジュールの１つ以上を付属品として含む。一実施形態においては、分離可能モジュール１０４が、支持アセンブリ１００の着用者が着用者の周囲のスナップ写真または映像および／または着用者の周囲の音声を捕捉し得るようにするＡＶモジュールを付属品として含む。例えば、第２モジュール１４６は、スチルカメラ、ビデオカメラ、赤外線カメラ、熱画像カメラ、および／または他のタイプの視覚的または聴覚的記録装置を含むことができる。別の実施形態においては、分離可能モジュール１０４は、支持アセンブリ１００の着用者が電子デバイスと無線通信し得るようにする通信モジュールを付属品として含む。例えば、第２モジュール１４６は、スピーカ、
マイクロホン、電源、および、携帯電話のような遠隔デバイスと無線通信するためのブルートゥースまたは他の無線周波数のトランシーバの１つ以上を含むことができる。
【００３４】
別の実施形態においては、分離可能モジュール１０４が、ノイズモジュール、フラッシュライト、レーザポインタ、物質分配器、物体発射装置、および／または他の機械的モジュールの１つ以上を付属品として含む。一実施形態においては、第２モジュール１４６が、支持アセンブリ１００の着用者が着用者の近傍に胡椒の噴射を散布し得るようにする胡椒噴射散布器である。
【００３５】
いくつかの実施形態においては、分離可能モジュール１０４が、第２モジュール１４６および支持アセンブリ１００が通信し得るようにする機構を提供する。例えば、分離可能モジュール１０４は、第２モジュール１４６および支持アセンブリ１００の間の電気的接続および／またはデータ接続が確立されるように、信号を搬送し得る媒体（例えば、トレース配線、ワイヤ、ケーブルなど）、電気的入力、電気的出力、および／または他の回路を含むことができる。従って、第２モジュール１４６を、電気信号（例えば、データ、制御信号、電力など）を支持アセンブリ１００に伝送し、かつ、電気信号を支持アセンブリ１００から受信するように構成することができる。
【００３６】
図１に示す実施形態においては、レール１１８は、支持部材１１２の縦方向セグメントである。この図の実施形態においては、レール１１８は、支持部材１１２の縦軸と同一線上にある。しかし、図示されていない他の実施形態においては、レール１１８は、支持部材１１２の縦軸から偏倚して離して配置される。
【００３７】
支持体１０２のレンズ支持体１０８は、図１に示すように、フレーム１０６と一体成形することができる。しかし、他の実施形態においては、レンズ支持体１０８がヒンジ方式でフレーム１０６に結合される。レンズ支持体１０８をヒンジ方式でフレーム１０６に連結することによって、必要な場合には、レンズ１１０を、ヒンジ軸の回りに回転させて、着用者の視線から動かすことができる。例えば、レンズ１１０がサングラスレンズを含む場合には、支持アセンブリ１００の着用者が室内に入った時に、着用者が、レンズ支持ヒンジ１２８によって、その頭部から支持アセンブリ１００を取り外すことなく、レンズ１１０を視界の外に持ち上げることができる。本明細書のどの実施形態においても、レンズを「縁なし（ｒｉｍｌｅｓｓ）」設計において支持することができる。当分野で理解されるように、この縁なし構造においては、レンズが、レンズ支持体を用いることなくフレームまたは他の隣接要素に取り付けられる。
【００３８】
支持アセンブリ１００の別の実施形態が図２に表現される。この図の実施形態においては、レール１１８の少なくとも一部分が、分離可能モジュール１０４の、レール１１８の縦軸１３０の回りの好ましくない回転を防止するように、非円形形状の断面を有する。レール１１８の断面形状は、好ましくない回転を防止するための、非円形形状を含む任意の種々の形状とすることができる。例えば、一実施形態においては、レール１１８の断面形状は、長円形、楕円形、正方形、三角形、あるいは他の任意の非円形形状である。一実施形態においては、レール１１８は、レール１１８の縦軸１３０の一部分に沿って延びる端部であって、分離可能モジュール１０４がレール１１８の回りに回転するのを防止する端部を含む。このモジュールの締結部には、レールの断面形状に合致するための対応する相補的形状の締結表面を設けることができる。これは、レールの軸の回りの回転には抵抗しまたはそれを防止しながら、軸方向（前方−後方）の調節可能性を許容するためである。
【００３９】
さらに、任意の種々の回転防止構造を、レール１１８および分離可能モジュール１０４に設けることまたは連結することができる。回転防止構造は、例えば、摩擦結合を提供する高摩擦表面、ロック装置、ピン、または当業者に知られる任意の他の構造を含むことが
できる。他の実施形態においては、レール１１８は実質的に円形の断面形状を有し、分離可能モジュール１０４は、レール１１８の縦軸１３０の回りの分離可能モジュール１０４の回転を防止するための適切な構造を含む。例えば、分離可能モジュール１０４は、摩擦装着、ゴムまたは弾性体のポリマーパッド、あるいは、レール１１８の回りの回転を防止する他のロック機構を含むことができる。
【００４０】
レール１１８は、フレーム１０６に対して任意の種々の位置に配置することができる。一般的に、レール１１８は、支持部材１１２の前方の２／３内に配置される。代わりの方式として、レール１１８は、支持部材１１２の前方の１／２内に配置される。
【００４１】
支持アセンブリ１００の別の実施形態が図３に表現されている。第２モジュール１４６は、コネクタアセンブリ１２２を介して、分離可能モジュール１０４に取り外し可能に取り付けることができる。一実施形態においては、分離可能モジュール１０４は、コネクタアセンブリ１２２と対にすることができる連結装置を含むことができる。例えば、コネクタアセンブリ１２２はマグネットを含むことができ、分離可能モジュール１０４もマグネットを含むことができるが、その場合、コネクタアセンブリ１２２のマグネットと、分離可能モジュール１０４のマグネットとは、２つのマグネットが互いに引き合うように逆極性である。他の実施形態においては、分離可能モジュール１０４とコネクタアセンブリ１２２とは、任意の既知の結合媒体、例えば、装着具、ボタン、クリップ、クリップ留め具、テープなどによって対にされる。
【００４２】
別の実施形態においては、第２モジュール１４６が分離可能モジュール１０４に恒久的に固定される。すなわち、第２モジュール１４６を、任意の既知の結合媒体、例えば、接着、溶接、糊付けなどによって分離可能モジュール１０４に恒久的に取り付けることができるか、あるいは、第２モジュール１４６および分離可能モジュール１０４を単一モジュールまたはモノリシックモジュールの形で作製するために、インサート成形法または同時成形法によって完全にまたは部分的に成形することが可能である。
【００４３】
分離可能モジュール１０４を眼鏡フレームまたは他の支持体に取り外し可能または恒久的に取り付けるために、分離可能モジュール１０４に対して任意の種々の連結具を利用できる。同様に、分離可能モジュール１０４を第２モジュール１４６に取り外し可能または恒久的に取り付けるために、分離可能モジュール１０４および第２モジュール１４６に対して任意の種々の連結具を利用できる。多くの用途において、取り外し可能な結合が好ましい。連結具は、分離可能モジュール１０４および／または第２モジュール１４６の一体的な構成要素とすることができるか、あるいは、分離可能モジュール１０４および／または第２モジュール１４６に取り付けることができる。一般的に、分離可能モジュール１０４用の連結具は、少なくとも、第１表面を、連結具が従属するレールまたは他の支持体上に接触させるための第１連結表面と、第２表面を支持体上に接触させるための第２連結表面とを含むであろう。第１および第２連結表面は、一般的には、連結具を、それが取り付けられる構造の上部にあるいはその構造の回りに位置付け得るように相互に可動であり、続いて、図２３に示すように、第１および第２連結表面を互いの方向に向けて動かすことによって、構造体に緊締される。第１および第２連結表面、あるいは、第３または第４あるいはそれ以上の連結表面の形態は、設計に応じて、任意の種々の形態のものとすることができる。通常は、連結表面は、レール、支持部材、または連結表面が取り付けられるべき他の構成要素の相補的形状と連携するような形態に形状化される。
【００４４】
同様に、一般的に、分離可能モジュール１０４および第２モジュール１４６用の連結具は、少なくとも、第１表面を、分離可能モジュール１０４の上、または連結具が従属する他の支持体上に接触させるための第１連結表面と、第２モジュール１４６を接触させるための第２連結表面とを含むであろう。
【００４５】
分離可能モジュール１０４を、（使用者の選択において）眼鏡の左支持部材または右支持部材のいずれかに取り付けることができる実施形態においては、「右側」および「左側」連結形態間の移動を可能にするために、連結具が、旋回可能に、あるいはそうでない場合は可動に、モジュール１０４に結合される。特定の例を以下に述べる。代わりの方式として、特定の実施形態においては、第２モジュール１４６がカメラである場合には、着用者の視線内のあらゆるものを捕捉し得るように、左側のモジュールおよび右側のモジュールがシステムとして設けられる。この用途においては、第１分離可能モジュール１０４を左の支持部材に連結するように調整することができ、第２分離可能モジュール１０４を右の支持部材に連結するように調整することができる。
【００４６】
図４は、分離可能モジュール１０４およびコネクタアセンブリ１２２の部分斜視図である。コネクタアセンブリ１２２は、グリップ４１６、グリップ４１８および／または連結装置１８２を含む半剛性アセンブリとすることができる。コネクタアセンブリ１２２は、明確にするため、支持体１０２から分離したものとして表現されている。
【００４７】
一実施形態においては、グリップ４１６および４１８は第２モジュール１４６を支持する。例えば、第２モジュール１４６が、グリップ４１６および４１８内の緊張力によって、および／またはグリップ４１６および４１８と第２モジュール１４６との当接表面によって作出される摩擦によってその間に保持され得るように、グリップ４１６および４１８は曲がることができる。
【００４８】
コネクタアセンブリ１２２は、連結装置１８２によって分離可能モジュール１０４に連結することができる。例えば、連結装置１８２の表面が、分離可能モジュール１０４の表面４２２に向かって、またはそれに対して押し付けられる。連結装置１８２および表面４２２は磁気留め具として機能することができる。連結装置１８２は、マグネット、装着具、ボタン、クリップ、クリップ留め具、テープ、その他とすることができる。連結装置１８２は、コネクタアセンブリ１２２の中に一体的に統合することができる。
【００４９】
図５は、支持アセンブリ１００の上に完全に搭載する前の分離可能モジュール１０４の部分斜視図を示す。以下に詳述するように、分離可能モジュール１０４は、第１連結具１４２（例えばフレキシブル領域）と、第２プレート１５０と、リップ１５２（例えばフック）と、頂部リップ１５４と、底部リップ１５６と、ヒンジ１５８とを含む。これらの構成要素は、支持部材１１２の回りを包み込むことによって機能する折り重ね留め具として協動する。第１連結具１４２はリップ１５２を含むことができる。分離可能モジュール１０４の支持部材１１２への連結は一時的または恒久的なものとすることができる。一実施形態においては、頂部リップ１５４と底部リップ１５６とは、支持部材１１２を傷つけることなく、支持部材１１２の１つ以上の接触表面を提供するかまたはそれを受け入れる。
【００５０】
分離可能モジュール１０４は、ヒンジを介して第２プレートに連結される任意の構造体を含むことができ、かつ、第２プレートを閉位置に保持して、それによって支持部材を把持する第１連結具の一部分を提供する。例えば、分離可能モジュール１０４は、以下に図１２を参照して説明する円筒形の筒体３１０および３１２のような円筒形の筒体と、リップ１５２とを含むことができる。以下に詳述するように、分離可能モジュール１０４は、分離可能モジュール１０４が支持部材１１２の長さに沿って動く可能性を抑えるために、従来型の表面と表面の形状とを含むことができる。
【００５１】
一実施形態においては、第２プレート１５０は、支持体１０２の回りを包み込むために、および／または分離可能モジュール１０４を閉じるために、頂部リップ１５４および底部リップ１５６と協動する分離可能モジュールの任意の構成要素を含む。例えば、第２プ
レート１５０は、分離可能モジュール１０４の折り重ね留め具の開位置および閉位置を提供するために、分離可能モジュール１０４の他の構成要素と協動する。
【００５２】
一実施形態においては、支持部材１１２と、折り重ね留め具が開位置にある分離可能モジュール１０４とを機械的に連結するために、分離可能モジュール１０４を、支持部材１１２の内側の表面と接触させる。第１連結具１４２の表面がリップ１５２によって捕捉され、第２プレート１５０を折り重ね留め具の閉位置において係止する（例えば、以下に詳述するように、第２プレート１５０を第１プレート１４８に係止する）まで、第２プレート１５０をヒンジ１５８上において円弧状に動かすことができる。リップ１５２は、第１連結具１４２の表面上の所定位置に押し込まれる際には曲がることができる。第２プレート１５０が閉位置かつ係止位置に達すると、分離可能モジュール１０４および支持部材１１２が機械的に連結される（例えば、組み立てられる、固定される、剛性装着される、摩擦結合される、一緒に接合される、など）。分離可能モジュール１０４を支持部材１１２に接合するために、接着剤を付加的に使用することができる。
【００５３】
図示されていない別の実施形態においては、支持部材１１２が、ヒンジ１５８の一部分と第１連結具１４２の一部分とを含むように形成される。すなわち、頂部リップ１５４および底部リップ１５６を省略することができる。ヒンジ１５８の残りの部分および第１連結具１４２の残りの部分は第２プレート１５０の一部とすることができる。
【００５４】
一実施形態においては、分離可能モジュール１０４を支持部材１１２に対してその間の接着剤なしに装着すると、リップ１５２を第１連結具１４２から離れるように持ち上げることによって、分離可能モジュール１０４が容易に支持部材１１２から取り外される。すなわち、第２プレート１５０を、ヒンジ１５８の回りに円弧状に動かし、続いて支持部材１１２から離れるように動かすことができる。別の実施形態においては、リップ１５２に加えて、またはその代わりに、分離可能モジュール１０４を、任意の従来型の方式（例えば、ネジ、止め具、結び紐、グリップなど）で支持部材１１２に連結することができる。
【００５５】
分離可能モジュール１０４の一実施形態が図６〜図１３に示されている。分離可能モジュール１０４は、第１プレート１４８と、第２プレート１５０と、第１連結具１４２と、第２連結具１４４とを含む。本明細書における呼称であるプレート（例えば、第１プレートおよび第２プレート）は、ハウジング、クリップ部分または支持体と呼称することも可能である。第１プレート１４８と、第２プレート１５０と、第１連結具１４２とは、分離可能モジュール１０４を、支持アセンブリ１００の支持体１０２の支持部材１１２に取り外し可能に結合することを可能にする。以下に詳述するように、第１プレート１４８および第２プレート１５０は、ヒンジ１５８によって１端において連結できる。図示されていない他の実施形態においては、第１プレート１４８および第２プレート１５０を、任意の既知の結合装置を用いて１端において連結できる。一実施形態においては、第１プレート１４８が、着用者に近接する側で、支持部材１１２に、例えばレール１１８に当てがわれる。第１プレート１４８は、第２端部において第１プレート１４８を第２プレート１５０に固定できるリップ１５２（例えばフック）を含む。支持部材１１２に、例えばレール１１８に当てがわれる第２プレート１５０は、着用者から離れた側において、第１連結具１４２を形成するためにリップ１５２を挿入し得る開口を含む。
【００５６】
図６〜図１３はリップ１５２を例示しているが、第１連結具１４２は、第１連結具１４２の開閉を可能にする任意の種々のロック機構を含むことができ、このロック機構が開放されると、第１プレート１４８が第２プレート１５０に対して可動になる。第１プレート１４８および第２プレート１５０のこの可動性によって、第１連結具１４２が、前記のレール１１８のようなレールの一部分（図示せず）を少なくとも部分的に取り囲みかつ囲繞することが可能になる。さらに、ロック機構は、レールから第１連結具１４２を取り外す
ために開放できる。
【００５７】
一実施形態においては、第１プレート１４８を、支持部材１１２の一部分に対して、例えばレール１１８に対してしっかりと形状適合するように成形できる。例えば、第１プレート１４８は、頂部リップ１５４および底部リップ１５６を含むことができ、その頂部リップ１５４は支持部材１１２の一部分の頂部に当てがわれ、底部リップ１５６は支持部材１１２の一部分の底部に当てがわれる。別の例として、第１プレート１４８が、支持部材１１２の中に挿入可能な突起１６０を含むことができる。さらに別の例として、第１プレート１４８が、支持部材１１２の相補的形状の領域（例えば凹形体部）に当てがうことができる領域（例えば凸形体部１６２）を含むことができる。頂部リップ１５４、底部リップ１５６、突起１６０および／または凸形体部１６２は、分離可能モジュール１０４を支持して、それを所定位置に保持することを補助できる。同様に、第２プレート１５０も、支持部材１１２の一部分に対して、例えばレール１１８に対して確実に形状適合するように成形することが可能である。
【００５８】
一実施形態においては、分離可能モジュール１０４は、分離可能モジュール１０４を、例えばカメラのような第２モジュール１４６に取り外し可能に結合することを可能にする第２連結具１４４をも含む。一実施形態においては、第２連結具１４４は第２プレート１５０のハウジング内に埋め込まれる。第２連結具１４４は、ハウジングの中に成形できるか、あるいは、ハウジングに取り外し可能に連結できる。例えば、第２連結具１４４は、ハウジングに取り外し可能に連結されるマグネットとすることができる。一実施形態においては、第２連結具１４４は、第２プレート１５０のハウジング内に、何らの接着材料もなしに固定される。例えば、ハウジングは、一般的に円形形状とすることができるが、凹凸部１６４のような凹凸部を含むことができる。この凹凸部は、第２連結具１４４を第２プレート１５０のハウジング内の所定位置に機械的にロックできるように、第２連結具１４４に含まれる凹凸部に対して相補的な形状を有する。
【００５９】
図１２に示すように、分離可能モジュール１０４は、さらに、シート１７４（例えば円筒状のウエハ）およびピン１６６を含む。シート１７４は、第２プレート１５０の残りの部分が作製される材料の透磁率より高い透磁率を有する材料を含むことができるか、あるいは、そのような材料から形成することができる。高透磁率の従来型の材料は、第２プレート１５０の従来型の形成材料より大幅に重いであろう。第２プレート１５０の高透磁率の部分のサイズを低減することによって、第２プレート１５０の大部分を形成するために低密度材料（例えばプラスチック）を用いることができ、第２プレート１５０の全体の重量を低減することができる。一実施形態において、シート１７４は、低コスト構造用として磁化されていない鋼を含み、別の実施形態においては、シート１７４は、その円筒状の形態の一方の円形面（例えば表面１２２２）上に一方の磁極を有し、反対側の面（例えば表面１２０４）に反対の磁極を有する従来型のマグネットを含む。
【００６０】
第２プレート１５０は、さらに、第２プレート１５０と一体的に形成される円筒形の筒体３１１および３０９を含むことができる。さらに、第１プレート１４８は、第１プレート１４８と一体的に形成される円筒形の筒体３１０および３１２を含むことができる。筒体３０９、３１０、３１１および／または３１２の中心軸をピン１６６の中心縦軸１７６に揃えると、ピン１６６が筒体３０９、３１０、３１１および／または３１２の穿孔を軸方向に順次貫通して、ヒンジ１５８を形成する。筒体３０９、３１０、３１１および／または３１２における軸方向穿孔の内径は、前記のヒンジ１５８の機能を実現し、かつヒンジ１５８の組み立て後にピン１６６を所定位置に維持するのに必要な態様において、ピン１６６の直径を取り巻きまたは拘束する。ピン１６６の一方の端部３１４は、ピン１６６が筒体３１２の中に拘束されるように、ピン１６６の中心部分３１６より小さい直径を有することができる。同様に、ピン１６６を筒体３１０の中に拘束することもできる。
【００６１】
図示されていない別の実施形態にいては、ピン１６６が省略される。そのかわりに、筒体３０９および３１１を、それぞれ、軸方向の穿孔ではなく、筒体３１０および３１２に面する軸方向に同心の円対称の支柱または突起体を有するように構成することができる。それに対応する構成の筒体３１０および３１２が、その支柱または突起体を受け入れてヒンジ１５８を形成する。筒体３０９および３１１を、筒体３１０および３１２への芯合わせおよびその中への組み込みを容易にするために一緒に圧縮加工することができる。第１プレート１４８および／または第２プレート１５０内の残留緊張力がこの芯合わせを維持する。この実施形態のヒンジ１５８は、ピン１６６を含む上記の実施形態のヒンジ１５８より、操作するのに固い可能性がある。圧縮および引張は、図１６〜図１７に関して以下に述べるように、スロット４３４および第１連結具１４２によって容易に印加することができる。
【００６２】
分離可能モジュール１０４の一実施態様の分解図を図１４〜図１５に例示する。分離可能モジュール１０４は、ピン１６６を配置できるハウジングを含む第１プレート１４８を含む。分離可能モジュール１０４は、さらに、第２連結具１４４と、ピン１６６を配置できるハウジングとを含む第２プレート１５０を含む。ピン１６６は、第１プレート１４８を第２プレート１５０にヒンジ結合する。
【００６３】
一実施形態においては、第２プレート１５０が内部空洞を含み、その内部空洞の中に第２連結具１４４が配置される。第２連結具１４４は、連結装置１６８および連結装置ハウジング１７０を含む。例えば、連結装置１６８はマグネットとすることが可能であり、連結装置ハウジング１７０は、任意の磁気構造または非磁気構造体とすることができる。いくつかの実施形態においては、連結装置１６８および連結装置ハウジング１７０が、単一モジュールまたはモノリシックモジュールを生成するように成形される。他の実施形態においては、連結装置１６８および連結装置ハウジング１７０が、別個の構造体であって、任意の既知の方法によって連結することができる。連結装置ハウジング１７０は、第２プレート１５０の１つ以上の凹凸部１６４に合致する１つ以上の凹凸部１７２を含むことができる。一実施形態においては、連結装置ハウジング１７０を、１つ以上の凹凸部１７２および１つ以上の凹凸部１６４を介して第２プレート１５０の中にロックできる。他の実施形態においては、連結装置ハウジング１７０が第２プレート１５０に恒久的に固定される。さらに別の実施形態においては、連結装置１６８および／または連結装置ハウジング１７０をハウジング１８０に固定し得ることに留意されたい。
【００６４】
一実施形態においては、第２プレート１５０の内部空洞はシート１７４をも含む。一実施形態においては、シート１７４は第２プレート１５０の内部に機械的に固定される。一例として、シート１７４は、連結装置１６８および／または連結装置ハウジング１７０の極性と反対の極性を有するマグネットとすることができ、その磁力を、連結装置ハウジング１７０を第２プレート１５０に保持するのに十分なものとすることができる。
【００６５】
図１６は、図４に示す分離可能モジュール１０４の第２プレート１５０の正面斜視図である。図１６に例示されるように、第２プレート１５０は、左部分４０２と、右部分４０４と、第１連結具１４２の表面４０６と、バー４０８と、内部４１０を有するカップ形状部分とを含む。「左」および「右」という用語は、第２プレート１５０の任意の好適な方位に応じて随意である（例えば、中心軸の反対側にある任意の部分が「左」および「右」部分を構成する）。左部分４０２および右部分４０４は、内部４１０の中に突き出る対称配置の構成要素を有する。左部分４０２の構成要素は、前方表面４１２を有する後部壁体５２２と、前方表面４１４を有する後部壁体４２４と、後方表面５１６を有する前方壁体４２６とを含む。さらに、内部４１０は、表面４４４および４３２と、コネクタアセンブリ１２２の対応する表面に当接する保持形状体４４０および４３８とを含む。これらは、
コネクタアセンブリ１２２を内部４１０の中に配置し、かつ、第２モジュール１４６を第２プレート１５０に対して芯合わせするためのものである。上記の分離可能モジュール１０４の形状の結果として、第２モジュール１４６が、支持部材１１２と使用者の視界とに対して芯合わせされる。
【００６６】
一実施形態において、第２プレート１５０のカップ形状の一部分が、スロットの拡幅を可能にする任意の構造を構成することができる。第１連結具１４２は、単独で、あるいは他の形状体と協調して、左部分を右部分に接合する。さらに、第１連結具１４２は、掛け具の一部分を構成する１つ以上の表面を提供することができる。例えば、第１連結具１４２はバー４０８を含み、バー４０８が左部分４０２と右部分４０４とを接合する。左部分４０２および右部分４０４は、図１６〜図１７に示すようにスロット４３４を画定する。第１連結具１４２は、第１プレート１４８および第２プレート１５０が閉じられた場合にリップ１５２を保持する表面４０６を提供することができる。第１連結具１４２は、さらに、図１８に示すように表面６０２を提供することができる。リップ１５２は、第１プレート１４８および第２プレート１５０が開位置から閉位置に移行される際（例えば、第２プレート１５０が係止閉止されて折り重ね留め具を形成する際）に、表面６０２上に摺動することができる。
【００６７】
一実施形態において、スロット４３４は、１つ以上のフレキシブル領域を含む構造部分が動くための任意の自由空間を含む。スロット４３４は、一般的に対称な部分の間の中心に配置することができる。スロット４３４は、図１７に示すように、第２プレート１５０の閉位置への係止を容易にする開口５０２を含むまたは画定することができる。例えば、スロット４３４は、左部分４０２および右部分４０４の間を、第２プレート１５０のカップ形状の内部４１０の中心を貫通して通っている。スロット４３４の一端において、開口５０２が、リップ１５２が表面４０６上の所定位置に動くための空間を提供する。
【００６８】
図１９Ａは第２プレート１５０をさらに詳細に表現している。第２プレート１５０は、シート１７４を第２プレート１５０の中に挿入し得るように、空洞またはスロットと、その中に成形される保持形状体とを有することができる。例えば、保持形状体が空洞を形成することができ、リップ３３８および３４０は、空洞内に物体を挿入し得るように、両者が離れるように広げることができるので、リップ３３８および３４０は空洞の開口を画定することができる。リップ３３８および３４０は、シート１７４の直径、長さおよび／または幅に等しい距離だけ離れるように広げるか、あるいは分離することができる。第２プレート１５０は、シート１７４を緩やかにまたは固く所定位置に保持する保持形状体を含むことができる。保持形状体の一部を含むことができるリップ３３８および３４０は、シート１７４を第２プレート１５０の中に挿入し得るように、引き離すことができる。いくつかの実施形態においては、シート１７４は、空洞の容積の形状に適合する形状またはそれと同じ形状を有することができる。
【００６９】
図１９Ｂは第２プレート１５０をさらに詳細に表現している。図１９Ｂにおいては、第２プレート１５０のリップ３３８および３４０が、シート１７４を第２プレート１５０の中に挿入し得るように引き離されている。第１連結具１４２は、リップ３３８および３４０を引き離すことができる程度に変形し得るように、スプリング状の特性の弾性を有することができる点に留意されたい。この方式で、シート１７４を、糊または他のタイプの固定具（例えばネジ）を使用せずに、第２プレート１５０の中に挿入することができる。
【００７０】
図２０Ａおよび図２０Ｂは第２プレート１５０をさらに詳細に表現している。一実施形態においては、シート１７４は、リップ３３８および３４０が図１９Ａに示すその正規の位置に戻った時に、所定位置を占めることができる。
【００７１】
図２１Ａおよび図２１Ｂは第２プレート１５０の断面図を表す。図２１Ａおよび図２１Ｂは、第２プレート内に存在する保持形状体であって、シート１７４を緩やかにまたは固く所定位置に保持する保持形状体のいくらかを表現している。例えば、保持形状体４３８および４４０は、シート１７４を固定するようにシート１７４の片面に当てがうことができる。いくつかの実施形態においては、シート１７４と連結装置１６８との間の材料の厚さが一様な厚さになるように、４３８および／または４４０のような保持形状体を、連結装置ハウジング１７０の障壁５４０（図１４参照）に連結することができる。例えば、シート１７４と連結装置１６８との間の厚さまたは空間量が、保持形状体４３８および／または４４０、および／または障壁５４０のいずれかの厚さに等しくなるように、保持形状体４３８および／または４４０を障壁５４０と係合させることができる。換言すれば、保持形状体４３８および／または４４０を障壁５４０と同じ厚さにすることができる。保持形状体４３８および／または４４０と障壁５４０とは、次のような態様において相互に形を揃えることができる。すなわち、シート１７４が連結装置１６８に連結された場合に、保持形状体４３８および／または４４０と障壁５４０とが互いにその外面において押圧し合うのではなく、その代わりに相互に横方向に隣接するような態様において、相互に形を揃えることができる。保持形状体４３８および／または４４０と障壁５４０とは、次のような態様、すなわち、シート１７４と連結モジュール１６８との間の任意の所与の位置において、保持形状体４３８および／または４４０と障壁５４０とのいずれか一方のみがシート１７４と連結モジュール１６８との間に位置するような態様において、界面を接することができる。しかし、いくつかの実施形態においては、シート１７４と連結装置１６８との間に材料が存在しない方式とすることができる。
【００７２】
図２２Ａおよび図２２Ｂは、第１プレート１４８および第２プレート１５０を例示している。一実施形態においては、物体、例えばピン１６６（例えば圧入ピンなど）が、第１プレート１４８および第２プレート１５０を連結するだけでなく、シート１７４を第２プレート１５０の内部にしっかりと固定することもできる。ピン１６６の形状が、リップ３３８および３４０を固く保持しかつロックして、それらが開くことを防止することができる。例えば、ピン１６６を、ヒンジ（例えばヒンジ１２８）の開口を同軸に貫通して挿入して、リップが離れるように動くのを防止することができる。さらに、これは、シート１７４が使用中に外れて落下し、および／またはカタカタ音を立てる可能性を防止しまたは低減することができる。ピン１６６は、第１プレート１４８および第２プレート１５０を、糊または他の固定具（例えばネジ）を使用せずに連結するために配置することができる。
【００７３】
ピン１６６は一様な直径にすることができる。いくつかの実施形態においては、前記のように、ピン１６６は、一方の端部において他方の端部より大きい直径を有する。例えば、ピン１６６は、支持部材１１２の後方部分１１６におけるよりも、支持部材１１２の前方部分において大きい直径を有することができる。
【００７４】
分離可能モジュール１０４の操作図が図２３に例示されている。本明細書に記述するように、ピン１６６は、第１プレート１４８を第２プレート１５０にヒンジ結合する。第１プレート１４８および／または第２プレート１５０は縦軸１７６の回りに回転することができる。頂部リップ１５４と底部リップ１５６とが突起１６０より近くに見えるような方位に向けられた場合、第１プレート１４８および／または第２プレート１５０は、リップ１５２が第２プレート１５０に掛り合うまで縦軸１７６の回りに時計回りの方向に回転できる。両プレートがリップ１５２によって一緒に連結されると、プレートは互いに平行または実質的に平行になることができる。第１プレート１４８および第２プレート１５０がリップ１５２によって一緒に連結された時の第１プレート１４８の一部分と第２プレート１５０の一部分との間の間隔は、支持部材１１２の一部分の幅とすることができる。頂部リップ１５４と底部リップ１５６とが突起１６０より近くに見えるような方位に向けられ
た場合、第１プレート１４８および／または第２プレート１５０は、第２プレート１５０の頂部部分が第１プレート１４８の頂部部分に接触するまで縦軸１７６の回りに反時計回りの方向に回転できる。一実施形態においては、第１連結具１４２を開放するために、第１プレート１４８および／または第２プレート１５０を少なくとも約５°回転させる。
【００７５】
第２モジュール１４６の一実施形態が図２４〜図２６に例示されている。第２モジュール１４６はハウジング１８０およびコネクタアセンブリ１２２を含む。図２４〜図２６はカメラに似たハウジング１８０を例示しているが、ハウジング１８０を任意の装着可能な構造体に構成し得ることは当業者には明らかであろう。ハウジング１８０は、少なくとも２つの本体部分を部分ラインに沿って取り付けることによって形成され、電子デバイスまたは機械デバイスを収納するための少なくとも１つの内部空洞を画定する保護外壁を提供する。一実施形態においては、ハウジング１８０の少なくとも部分的な内側を、電力モジュール、電子モジュール、メモリモジュール、データポート、およびマイクロホンを支持する保持器とすることができる。本体部分は、プラスチックまたは金属を含む任意の種々の材料から作製することができる。代わりの方式として、第２モジュール１４６を、インサート成形法または同時成形法によって完全にまたは部分的に成形して、単一モジュールまたはモノリシックモジュールの形の埋め込み型電子装置を作製することも可能である。
【００７６】
電源は、第２モジュール１４６に電力供給できる任意の種々の電力構造体とすることができる。例えば、電力モジュールは、バッテリ、コンデンサまたは他の電源を含むことができる。電力モジュールは、接着剤によって電子モジュールに連結することができる。電子モジュールは、使用者が１つ以上のボタンを押すことによってアクセスするスイッチ（図示せず）に連結できる。スイッチは、マイクロスイッチ、スナップスイッチおよびドームスイッチを含む当業者に既知の任意の種々のスイッチを含むことができる。一実施形態においては、スイッチは、スナップドームＦ０６１８０スイッチである。ＬＥＤ（図示せず）が、着用者に状態表示を提供することが可能である。
【００７７】
一実施形態においては、ハウジング１８０は、マイクロホンおよび／またはマイクロホングロメットを支持するかまたは含む。マイクロホングロメットは、当業者に周知の任意の種々の材料、例えば、ＰＴＦＥ、ポリエチレン、ポリウレタンまたはＴＰＥから作製できる。さらに、グロメットは、約２０〜３０デュロメータ、約４０〜５０デュロメータ、約６０デュロメータまたは約７０デュロメータの硬度または剛性を有することができる。ノイズを低減するため、グロメットにウィンドスクリーンを設けることができる。マイクロホンは、当業者に既知の任意の種々のマイクロホンとすることができる。
【００７８】
他の実施形態においては、ハウジング１８０の少なくとも部分的な内側を、小型容器および／または分配機構内に貯蔵された液体、気体または固体の物質であって、小型容器から放出可能な物質とすることができる。
【００７９】
一実施形態において、コネクタアセンブリ１２２は、連結装置１８２と１つ以上の凹凸部１８４とを含む。例えば、連結装置１８２は、連結装置１６８と反対側の極性を有するマグネットとすることができる。この方式によって、第２モジュール１４６と、分離可能モジュール１０４とを取り外し可能に取り付けることができる。１つ以上の凹凸部１８４は、第２モジュール１４６を所定位置に固定しかつ保持するために用いることができる。いくつかの実施形態においては、第２モジュール１４６は、連結装置１８２の中心を通る軸の回りに回転または旋回することができない。例えば、１つ以上の凹凸部１８４は、それが第２モジュール１４６の回転を防止するように、１つ以上の凹凸部１６４に対して相補的な形状を有することができる。他の実施形態においては、第２モジュール１４６は、連結装置１８２の中心を通る軸の回りに回転または旋回することが可能である。例えば、１つ以上の凹凸部１８４を、第２モジュール１４６が連結装置１８２の中心を通る軸の回
りにある程度回転または旋回できるように間隔を開けて配置できる。第２モジュール１４６は、それを、着用者の視線に平行に向くように、着用者の視線に垂直に向くように、および／またはその中間の任意の方向に向くように位置決めできる態様において回転することができる。代わりの方式として、第２モジュール１４６は、それが制限なしに任意の方向に向くことが可能なように回転することができる。
【００８０】
コネクタアセンブリ１２２は、機械的留め具によって、または接着材料によって、ハウジング１８０に連結することができる。例えば、コネクタアセンブリ１２２は突起１８６および１８８を含むことができるが、この突起１８６および１８８は、コネクタアセンブリ１２２がハウジング１８０にしっかりと係合し合うように、ハウジング１８０における少なくとも１つの相補的形状のインサート１９０に嵌合することが可能である。他の実施形態においては、コネクタアセンブリ１２２をハウジング１８０に連結するために、糊、テープまたは任意の他の接着材料、および／または、止め具、クリップ、ボタンまたは他の固定装置を用いることができる。
【００８１】
連結装置１８２は突起６４０を含むことができる。突起６４０は、使用中にハウジング１８０の動きを防止または低減するように機能することができる。突起６４０およびその機能については、図２７に関してさらに詳しく説明する。
【００８２】
分離可能モジュール１０４および第２モジュール１４６の一実施形態が図２７に例示される。一実施態様において、第２モジュール１４６は、分離可能モジュール１０４を貫通する軸１９２の回りに回転できる。例えば、第２モジュール１４６を±１８０°回転させることができる。別の実施態様においては、第２モジュール１４６を軸１９２の回りに回転することはできない。例えば、１つ以上の凹凸部１８４および／または１つ以上の凹凸部１７２が、軸１９２の回りの第２モジュール１４６の回転を防止することができる。
【００８３】
突起６４０は、第２プレート１５０の一部分に当てがわれてもよい。一実施形態においては、第２モジュール１４６の前方側を、例えば、カメラまたは他の物体が使用者の向いている方向に向くことを可能にするための開口が配置される端部とすることができる。図２７に例示されるように、前方部分を第２モジュール１４６の底端部とすることができる。一実施形態においては、第２モジュール１４６の後方側を、例えば、使用者の身体上の他の装置に接続するためのケーブルまたはワイヤ（図示せず）が突き出る端部とすることができる。図２７に例示されるように、後方部分を第２モジュール１４６の頂端部とすることができる。いくつかの実施形態においては、第２モジュール１４６の前方端部を使用者の方向に押しやる力が第２モジュール１４６に印加されるように、第２モジュール１４６の後方端部から延び出るケーブルまたはワイヤを牽引または引っ張ることができる。換言すれば、第２モジュール１４６に関して低位置−高位置の方向に延びる縦軸６３０を回転させるための力を印加することができる。突起６４０は、この圧力が印加される場合にも、第２モジュール１４６が分離可能モジュール１０４に連結されたままであるように、第２プレート１５０に連結することができる。この方式によって、突起６４０は、使用者が装置を動かしかつ操作する間、シート１７４が連結装置１６８に連結された状態に留まることを可能にすることができる。
【００８４】
支持アセンブリ１００に取り付けられた分離可能モジュール１０４および第２モジュール１４６の一実施形態が図２８に例示される。いくつかの実施態様においては、分離可能モジュール１０４および第２モジュール１４６を、図示のように支持アセンブリ１００の右側に連結することができる。図示されていない他の実施態様においては、分離可能モジュール１０４および第２モジュール１４６を支持アセンブリ１００の左側に連結することができる。図示されていないさらに別の実施態様においては、第１分離可能モジュール１０４と第１の第２モジュール１４６とを支持アセンブリ１００の右側に連結することがで
き、第２分離可能モジュール１０４と第２モジュール１４６とを支持アセンブリ１００の左側に連結することができる。どの実施態様においても、一方の支持部材１１２に連結される分離可能モジュール１０４を、取り外してもう一方の支持部材１１２に連結することができる。第２モジュール１４６は、着用者の視線に合致する方向に向くように、回転させることおよび／または取り外して再取り付けすることができる。
【００８５】
図２９は、図４の分離可能モジュール１４０および支持アセンブリ１００の等角側面図である。図２９に示すように、支持アセンブリ１００は完全組み立てされたものとして示されている。支持アセンブリ１００および分離可能モジュール１０４の線Ａ−Ａによる断面図が図３０に示されている。図３０に示すように、断面線Ａ−Ａの平面は、スロット４３４を縦方向に２等分しており、第２プレート１５０と、シート１７４と、コネクタアセンブリ１２２との対称性の中心を通っている。
【００８６】
一実施形態においては、リップ１５２が表面８０２を含み、この表面８０２は、第１プレート１４８および第２プレート１５０が閉じられた位置にある時に、表面４０６に当接する。図４、図５および図３０に示すように、第２プレート１５０の組み立てられた形態内におけるシート１７４は、内部４１０のポケット８０４内に保持される。シート１７４の背面１２０４は、表面４１２および／または４１４に、および／または対称配置される右側部分４０４の複数の表面に面するかまたは当接することができる。シート１７４の前面１２２２は、表面５１６に、および／または対称配置される右側部分４０４の一表面に面するかまたは当接することができる。ポケット８０４の内側のシート１７４の操作位置に達するために、左部分４０２が右部分４０４からさらに離れるように、筒体３０９および３１１を、第１連結具１４２がもたらす緊張力に抗して若干引き離すように広げることによってスロット４３４を拡大することができる。この拡幅された形態においては、円形内部４１０のコードはシート１７４の直径を超えるので、シート１７４をポケット８０４の中に入れ易くなるであろう。シート１７４の直径が内部４１０の中心と交差した後、第１連結具１４２の緊張力のいくらかまたはすべてを緩和するために、筒体３０９および３１１をその当初位置に戻すことができる。
【００８７】
一実施形態においては、筒体３０９および３１１を図１２に示すように筒体３１０および３１２の間に配置する場合、スロット４３４を拡大しなくてもよい。従って、シート１７４を、少なくとも部分的には筒体３０９、３１０、３１１および３１２とピン１６６との協動によって、ポケット８０４内に保持（例えば、位置決め、支持、閉じ込めなど）することができる。シート１７４は、第１連結具１４２内の残留緊張力によって、部分的には第２プレート１５０によって保持することができる。
【００８８】
電子デバイスを眼鏡類に取り外し可能に連結するための一方法３１００が図３１のフローチャートに示される。方法３１００はブロック３１０２において開始される。ブロック３１０４において、取り付け装置を、眼鏡類のフレームの支持部材の内側の端部に押し当てて配置する。一実施形態において、この取り付け装置は第１コネクタを含み、その内側の端部が、眼鏡類のフレームの着用者により近い支持部材の端部である。
【００８９】
ブロック３１０６において、第１コネクタの第２プレートを第１コネクタのヒンジの回りに回転させる。一実施形態において、ヒンジは、第１コネクタの第１プレートの第１端部を第２プレートの第１端部に連結し、第２プレートは第２コネクタを含む。
【００９０】
ブロック３１０８において、第１プレートの第２端部を第２プレートの第２端部にロックする。ブロック３１１０において、電子デバイスを第２コネクタに取り付ける。ブロック３１１２において方法３１００が完了する。
【００９１】
取り付け装置を眼鏡類に取り外し可能に連結するための一方法３２００が図３２のフローチャートに示される。方法３２００はブロック３２０２において開始される。ブロック３２０４において、取り付け装置を、眼鏡類のフレームの支持部材の内側の端部に押し当てて配置する。一実施形態において、この取り付け装置は第１コネクタを含み、その内側の端部が、眼鏡類のフレームの着用者により近い支持部材の端部である。
【００９２】
ブロック３２０６において、第１コネクタの第２プレートを第１コネクタのヒンジの回りに回転させる。一実施形態において、ヒンジは、第１コネクタの第１プレートの第１端部を第２プレートの第１端部に連結し、第２プレートは、電子デバイスを取り付け装置に取り外し可能に連結する第２コネクタを含む。
【００９３】
ブロック３２０８において、第１プレートの第２端部を第２プレートの第２端部にロックする。ブロック３２１０において方法３２００が完了する。
【００９４】
本発明を特定の好ましい実施形態に関係付けて開示したが、本発明は、特定的に開示された実施形態を超えて、他の代替的な実施形態、および／または本発明およびその明らかな変更並びに等価物の使用に広がることを当業者は理解するであろう。特に、本発明の支持アセンブリ、支持体、分離可能モジュール、第２モジュール、および方法を、特に好ましい実施形態に関係付けて記述したが、当業者は、本開示を考慮して、支持アセンブリ、支持体、分離可能モジュール、第２モジュール、および方法の特定の利点、特徴および態様を種々の他の装置において実現し得ることを正しく評価するであろう。さらに、記述された本発明の種々の態様および特徴は、別個に、または一緒に組み合わせて、または相互に置換して実施できること、および、特徴および態様の種々の組合せおよび部分組合せを作出できるが、それらは本開示の範囲内に包含されることが想定されている。従って、本明細書において開示した本開示の範囲は、以上に述べた特定の実施形態によって制限されることはなく、以下の請求項を正しく読解してのみ決定されるべきであることが意図されている。
【図１】
2015515638.tif 000003
【図２】
2015515638.tif 000004
【図３】
2015515638.tif 000005
【図４】
2015515638.tif 000006
【図５】
2015515638.tif 000007
【図６】
2015515638.tif 000008
【図７】
2015515638.tif 000009
【図８】
2015515638.tif 000010
【図９】
2015515638.tif 000011
【図１０】
2015515638.tif 000012
【図１１】
2015515638.tif 000013
【図１２】
2015515638.tif 000014
【図１３】
2015515638.tif 000015
【図１４】
2015515638.tif 000016
【図１５】
2015515638.tif 000017
【図１６】
2015515638.tif 000018
【図１７】
2015515638.tif 000019
【図１８】
2015515638.tif 000020
【図１９Ａ】
2015515638.tif 000021
【図１９Ｂ】
2015515638.tif 000022
【図２０Ａ】
2015515638.tif 000023
【図２０Ｂ】
2015515638.tif 000024
【図２１Ａ】
2015515638.tif 000025
【図２１Ｂ】
2015515638.tif 000026
【図２２Ａ】
2015515638.tif 000027
【図２２Ｂ】
2015515638.tif 000028
【図２３】
2015515638.tif 000029
【図２４】
2015515638.tif 000030
【図２５】
2015515638.tif 000031
【図２６】
2015515638.tif 000032
【図２７】
2015515638.tif 000033
【図２８】
2015515638.tif 000034
【図２９】
2015515638.tif 000035
【図３０】
2015515638.tif 000036
【図３１】
2015515638.tif 000037
【図３２】
2015515638.tif 000038
【手続補正書】
【提出日】平成26年10月16日(2014.10.16)
【手続補正１】
【補正対象書類名】特許請求の範囲
【補正対象項目名】全文
【補正方法】変更
【補正の内容】
【特許請求の範囲】
【請求項１】
着用者の頭部によって担持されるように調整された眼鏡フレームと、
少なくとも第１レンズと、
前記眼鏡フレームの少なくとも第１レンズの支持部分であって、前記少なくとも第１レンズを着用者の視野の径路内に配置するように形成される少なくとも第１レンズの支持部分と、
第１コネクタおよび第２コネクタを含む取り付け装置であって、前記第１コネクタは前記取り付け装置を前記眼鏡フレームに取り外し可能に連結する、取り付け装置と、
前記第２コネクタが前記取り付け装置に取り外し可能に連結する電子デバイスと、
を含む眼鏡。
【請求項２】
前記第１コネクタが前記第２コネクタとは異なっている、請求項１に記載の眼鏡。
【請求項３】
前記第１コネクタがクリップである、請求項１に記載の眼鏡。
【請求項４】
前記第２コネクタがマグネットである、請求項３に記載の眼鏡。
【請求項５】
前記第１コネクタが、
前記眼鏡フレームの内側の端部に繋がるように成形される第１プレートであって、止め具を含む第１プレートと、
前記第２コネクタを含み、かつ、前記電子デバイスを支持するように形成される第２プレートと、
前記第１プレートの第１端部および前記第２プレートの第１端部に連結されるヒンジであって、前記ヒンジは、前記第２プレートを前記眼鏡フレームの外側の端部に対して押し付けるように機能し、かつ、前記ヒンジが、前記第２プレートを前記眼鏡フレームの外側の端部に押し当てて保持するために、前記第２プレートを前記眼鏡フレームの外側の端部に対して押し付けるように機能する時に、前記止め具が前記第２プレートに繋がる、ヒンジと、
を含む、請求項１〜４のいずれか一項に記載の眼鏡。
【請求項６】
前記電子デバイスが、フラッシュライト、カメラ、マイクロホン、およびレーザポインタからなる群からの装置である、請求項１に記載の眼鏡。
【請求項７】
前記電子デバイスが、バッテリと、メモリと、マイクロホンとを含むカメラである、請求項１に記載の眼鏡。
【請求項８】
前記第１コネクタが、いかなる接着材料もなしに前記取り付け装置にしっかりと固定され、かつ、前記第２コネクタが、いかなる接着材料もなしに前記取り付け装置にしっかりと固定される、請求項１に記載の眼鏡。
【請求項９】
前記電子デバイスが、前記眼鏡フレームの支持部材に垂直な軸の回りに回転する、請求項１に記載の眼鏡。
【請求項１０】
前記取り付け装置が、前記電子デバイスおよび前記眼鏡フレームの間の電気接続またはデータ接続の少なくとも一つを提供するように形成される、請求項１に記載の眼鏡。
【請求項１１】
第１コネクタおよび第２コネクタを含む取り付け装置であって、前記第１コネクタは前記取り付け装置を頭部着用装置に取り外し可能に連結する、取り付け装置と、
前記第２コネクタが前記取り付け装置に取り外し可能に連結する電子デバイスと、
を含む二重取り付け部材。
【請求項１２】
前記第１コネクタが前記第２コネクタとは異なっている、請求項１１に記載の二重取り付け部材。
【請求項１３】
前記第１コネクタがクリップである、請求項１１に記載の二重取り付け部材。
【請求項１４】
前記第２コネクタがマグネットである、請求項１１に記載の二重取り付け部材。
【請求項１５】
前記第１コネクタが、
前記頭部着用装置の内側の端部に繋がるように成形される第１プレートであって、止め具を含む第１プレートと、
前記第２コネクタを含み、かつ、前記電子デバイスを支持するように形成される第２プレートと、
前記第１プレートの第１端部および前記第２プレートの第１端部に連結されるヒンジであって、前記ヒンジは、前記第２プレートを前記頭部着用装置の外側の端部に対して押し付けるように機能し、かつ、前記ヒンジが、前記第２プレートを前記頭部着用装置の外側の端部に押し当てて保持するために、前記第２プレートを前記頭部着用装置の外側の端部に対して押し付けるように機能する時に、前記止め具が前記第２プレートに繋がる、ヒンジと、
を含む、請求項１１に記載の二重取り付け部材。
【請求項１６】
前記電子デバイスが、バッテリと、メモリと、マイクロホンとを含むカメラである、請求項１１に記載の二重取り付け部材。
【請求項１７】
前記第１コネクタが、いかなる接着材料もなしに前記取り付け装置にしっかりと固定され、かつ、前記第２コネクタが、いかなる接着材料もなしに前記取り付け装置にしっかりと固定される、請求項１１に記載の二重取り付け部材。
【請求項１８】
前記電子デバイスが、前記頭部着用装置のフレームの支持部材に垂直な軸の回りに回転する、請求項１１に記載の二重取り付け部材。
【請求項１９】
前記頭部着用装置が支持部材を含み、前記取り付け装置が前記支持部材に連結されるよ
うに構成され、前記支持部材が耳ステムであり且つ前記頭部着用装置が眼鏡フレームであるか、または、前記支持部材がストラップであり且つ前記頭部着用装置がゴーグルである、請求項１１に記載の二重取り付け部材。
【請求項２０】
前記取り付け装置が、前記電子デバイスおよび前記頭部着用装置の間の電気接続またはデータ接続の少なくとも一つを提供するように形成される、請求項１１に記載の二重取り付け部材。
【国際調査報告】
2015515638.tif 000039
2015515638.tif 000040